(57)【要約】【課題】  携帯電話機のようにキーの少ない端末での文字入力においては、予め一つのキーに複数の文字が割り当てられており、キーを連続で押下することで割り当てられた文字を順番に送り、目的の文字を入力しており、連続押下による文字入力は、あらかじめ決められた文字の順番に従って文字が送られるため、使用者にとって不要な文字が含まれている場合や、文字送りの順番が使い慣れた機種と異なる場合には、操作が煩雑である。【解決手段】  一つのキーに割り当てられた複数の文字を、キーの操作により文字送りをして一字ずつ選択して入力する文字入力方法であって、各キーに割り当てられる文字およびその順番をユーザが設定して装置に記憶させ、上記記憶された文字送り順番を用いてキー操作により文字入力を行えるようにした。【選択図】図１
2005182395.tif 000002
【特許請求の範囲】
【請求項１】
一つのキーに割り当てられた複数の文字を、キーの操作により文字送りをして一字ずつ入力する文字入力方法であって、各キーに割り当てられる文字およびその順番をユーザが設定して装置に記憶させ、上記記憶された文字送り順番を用いてキーの操作により文字入力を行えるようにしたことを特徴とする文字入力方法。
【請求項２】
各キーに割り当てられる文字の入力は、予め各キーに割り当てられている初期値をもとにして行うことを特徴とする請求項１に記載の文字入力方法。
【請求項３】
各キーに割り当てられる文字の入力は、画面に表示される文字の一覧表をもとにして行うことを特徴とする請求項１に記載の文字入力方法。
【請求項４】
一つのキーに割り当てられた複数の文字を、キーの操作により文字送りをして一字ずつ入力する文字入力装置において、キーの操作によりユーザが一つのキーに複数の文字およびその順番を割り当てることができる機能と、上記機能により割り当てられた文字の割り当て情報を保存する機能と、保存した文字の割り当て情報をユーザが読み出してキーの操作により文字入力を可能にする機能とを備えたことを特徴とする文字入力装置。
【請求項５】
上記文字の割り当て情報を保存する機能は、文字の割り当て情報を複数件保存できるものであることを特徴とする請求項４に記載の文字入力装置。
【請求項６】
保存された文字の割り当て情報を画面に一覧で表示する機能を有することを特徴とする請求項４または請求項５に記載の文字入力装置。
【発明の詳細な説明】
【技術分野】
【０００１】
この発明は、一つのキーに複数の文字が割り当てられ、文字送りによって入力文字を決定する文字入力方法および装置に関するものである。なお、ここでいう文字とは、五十音以外の濁点、半濁点、記号等を含むものを指している。
【背景技術】
【０００２】
携帯電話機のようにキーの少ない端末での文字入力においては、予め一つのキーに複数の文字が割り当てられており、キーを連続で押下することで割り当てられた文字を順番に送り、目的の文字を入力している。連続押下による文字入力は、あらかじめ決められた文字の順番に従って文字が送られるため、使用者にとって不要な文字が含まれている場合や、文字送りの順番が使い慣れた機種と異なる場合があり、操作が煩雑である。
【０００３】
文字のキー割り当てに関する技術は、例えば特許文献１に示すものがあるが、これはキーに単一機能を割り当てる技術であり、例えば携帯電話機の文字入力のように複数の文字が単一のキーに割り当てられている場合には応用ができなかった。
【０００４】
【特許文献１】特開平５−２５００８１号公報
【発明の開示】
【発明が解決しようとする課題】
【０００５】
上述のように、携帯電話機のようにキーの少ない端末での文字入力においては、予め一つのキーに複数の文字が割り当てられており、キーを連続で押下することで割り当てられた文字を順番に送り、目的の文字を入力しており、連続押下による文字入力は、あらかじめ決められた文字の順番に従って文字が送られるため、使用者にとって不要な文字が含まれている場合や、文字送りの順番が使い慣れた機種と異なる場合には、操作が煩雑であるばかりか、これが機種移行を妨げる一因となっていた。
【０００６】
この発明は、このような問題点を解消し、文字送りする文字およびその順番を個別に設定可能とした文字入力方法および装置を提供するものである。
【課題を解決するための手段】
【０００７】
この発明に係る文字入力方法は、一つのキーに割り当てられた複数の文字を、キーの操作により文字送りをして一字ずつ入力する文字入力方法であって、各キーに割り当てられる文字およびその順番をユーザが設定して装置に記憶させ、上記記憶された文字送り順番を用いてキーの操作により文字入力を行えるようにしたものである。
【０００８】
また、この発明に係る文字入力装置は、一つのキーに割り当てられた複数の文字を、キーの操作により文字送りをして一字ずつ入力する文字入力装置において、キーの操作によりユーザが一つのキーに複数の文字を割り当てることができる機能と、上記機能により割り当てられた文字割り当て情報を保存する機能と、保存した文字割り当て情報をユーザが読み出してキーの操作により文字入力を可能にする機能とを備えたものである。
【発明の効果】
【０００９】
この発明によれば、ユーザにとって使い勝手のよい文字入力環境を任意に設定できるため、例えば使い慣れた文字入力方法と同じ割り当てを行うことで、違和感なくスムーズな文字入力を行うことが可能となる。
【発明を実施するための最良の形態】
【００１０】
実施の形態１．
以下この発明の実施の形態を、携帯電話機の文字入力装置を例として説明する。図１はこの発明に係る文字入力装置のブロック構成図である。この文字入力装置は、表示部１と、ＣＰＵ２と、ＲＯＭ３と、ボタン操作部４と、ＲＡＭ５とからなる。
【００１１】
表示部１は、文字情報あるいは画像情報を表示する携帯電話機の表示部である。ＣＰＵ２は、ＲＯＭ３に内蔵されている制御プログラムに従い、ボタン操作部４からの操作によってデータの処理を行う。ＲＯＭ３は、上記制御プログラムのほか、文字送り順番やフォントデータなどの固定データを保存し、ＣＰＵ２との間でデータのやり取りをする。このＲＯＭ３はさらに文字送り順番を設定する文字送り順番設定プロプログラムを備えている。ボタン操作部４は、文字入力を行う上で必要な決定キー、クリアキー、変換キー、「０」〜「９」キーなどを備え、これらキーからＣＰＵ２に指令を与える。ＲＡＭ５はユーザが入力したデータ、例えば登録電話番号、送／受信メールなどの他、上記文字送り順番設定プログラムに従ってＣＰＵ２が処理した文字送り順番を保存する。
【００１２】
次に、図１の装置により文字送り順番の設定を行う動作を図２〜図５を用いて説明する。図２は「０」〜「９」キーの押下により各キーに割り当てられている文字が順番に送られる様子を説明する図である。例えば１キーには「あいうえおあいうえお」の文字が割り当てられており、「１」キーを押すごとに「あ」→「い」→「う」・・・のように文字送りをする。
【００１３】
図３〜図５は文字入力装置（本実施の形態では携帯電話機）の表示部１の表示画面で、ユーザが各キーに割り当てられる文字および順番を任意に設定するための設定画面例である。図２の画面では、キー操作部４の各キー（「１」、「２」・・・）１０と、各キーに割り当てられている文字列２０と、操作キーの状態表示３０、３１、３２と、複数画面選択用のタブ４０、４１、４２等が表示されている。画面の操作はボタン操作部４のキーで行われる。
【００１４】
図３は文字送り順番設定操作の際に、どのキーにどの文字が割り当てられているかを閲覧する画面である。図３の状態では、「１」キーには「あいうえおあいうえお」、「２」キーには「かきくけこ」、・・・、という具合に必要な文字が割り当てられている。また、この画面には現れていないが、文字以外の記号等も各キーに割り当てられている。
【００１５】
次に、図３に示す文字の、キーへの割り当ておよび順番を変えて、文字送り順番を変更するときには、画面を図４に切り替える。図４の画面は、上半分はキー割り当てを変更したいキーの選択用画面５０（太線で囲まれた文字列が選択されている）、下半分は編集用画面５１である。図４では「１」キーに割り当てられている「あいうえおあいうえお」が、選択された文字列として編集用画面５１に表示されている。この状態から、ボタン操作部４のキー操作により、編集用画面５１の文字を削除したり新しく入力したりすることにより、「１」キーに任意の文字を割り当てることができる。このときの文字入力は、初期値または前回割り当ての文字によりキー操作を行うことで割り当てる。各キーへの割り当てが完了すれば、それを設定１として登録する。
【００１６】
上記の文字送り順番設定はＲＯＭ３に内蔵された文字送り順番設定プログラムに従って行われる。設定１として登録された文字送り順番はＲＡＭ５に記憶される。文字送り順番は複数（本例の場合は２個）の設定が可能であり、その場合、タブ４１の画面を表示して、上述と同様な編集を行い、設定２としてＲＡＭ５に記憶させる。タブ４２の画面を開けば初期値の設定が表示される。その後、文字入力時には、設定１または設定２の画面を選択して呼び出して、ボタン操作部４のキー操作により文字入力を行う。
【００１７】
実施の形態２．
上述の実施の形態１による文字送り順番設定では、「０」〜「９」のキーに予め割り当てた文字送り順番、つまり端末の初期値または前回の文字送り順番を使用して、文字をセットしていくが、これでは、端末の初期値の文字送り順番または前回の文字送り順番を使用するため、どのキーにどの文字が割り当たっているのかを知る必要がある。本実施の形態２では、図５のように、文字送り順番を編集する画面において、画面の上半分に文字のパレット画面６０を表示し、画面の下半分に編集用画面５１を表示する。そしてパレットの文字を上下左右と決定キーで入力を行わせることにより割り当てを行う手法をとっている。この方法によれば、前回設定された文字送り順番に関係なく編集が可能であるため、より効率よく文字の割り当てが可能となる。それ以外の動作は実施の形態１と同じである。
【産業上の利用可能性】
【００１８】
この発明に係る文字入力方法および装置は、携帯電話機はもちろん、キーの数が限られ、一つのキーに複数個の文字、記号等が割り当てられている装置の文字入力に利用可能である。
【図面の簡単な説明】
【００１９】
【図１】この発明の実施の形態１に係る文字入力装置を示すブロック図である。
【図２】キーによる文字送りを説明する図である。
【図３】実施の形態１の表示画面を示す図である。
【図４】実施の形態１の別の表示画面を示す図である。
【図５】この発明の実施の形態２に係る文字入力方法を説明する表示画面を示す図である。
【符号の説明】
【００２０】
１  表示部、                    ２  ＣＰＵ、
３  ＲＯＭ、                    ４  ボタン操作部、
５  ＲＡＭ、                  １０  キー
２０  文字列、                  ３０  操作キーの状態、
３１  操作キーの状態、          ３２  操作キーの状態、
４０  タブ、                    ４１  タブ、
４２  タブ、                    ５０  選択用画面、
５１  編集用画面、              ６０  文字のパレット画面。
【図１】
2005182395.tif 000003
【図２】
2005182395.tif 000004
【図３】
2005182395.tif 000005
【図４】
2005182395.tif 000006
【図５】
2005182395.tif 000007